(57)【特許請求の範囲】
【請求項１】
ビル全体を管理するセンタ装置に、上位ネットワークを介して複数の分散制御装置を接続し、この分散制御装置のそれぞれに接続された設備機器を管理する分散型ビル管理システムにおいて、
上記設備機器が接続されて各々の設備機器を制御する設備制御機器が下位ネットワークを通じて接続されており、上記下位ネットワークに合わせた通信プロトコルで、この下位ネットワークを介した通信をする伝送変換装置が、上記分散制御装置のそれぞれに伝送線を通じて接続されており、
この伝送変換装置は、上記設備機器毎に、その設備機器の管理情報や、制御などに関する機能プログラムを有し、上記設備機器の制御／管理をするための設備オブジェクトと、上記分散制御装置からの要求に基づいて、上記設備オブジェクトの操作をするオブジェクト操作部とを備え、
上記分散制御装置は、
上記センタ装置からの指示に基づいて、制御対象となる設備機器が少なくとも規定され、上記伝送変換装置の設備オブジェクトの操作を要求するための設備オブジェクト操作要求データを作成する制御演算部と、
この設備オブジェクト操作要求データを上記伝送線を通じて上記伝送変換装置のオブジェクト操作部に送信することによって、その伝送変換装置の設備オブジェクトの操作を要求するオブジェクト通信サービスと、
上記設備機器が、どの分散制御装置のどの伝送変換装置の管理下に接続されているかを示すデータを格納した接続管理データベースと、上記上位ネットワークを介して通信をする上位通信部とを備えており、
上記オブジェクト通信サービスは、上記伝送変換装置のオブジェクト操作部に上記設備オブジェクトの操作を要求するときには、上記接続管理データベースを参照し、上記設備オブジェクト操作要求データで規定される、制御対象となる設備機器が他の分散制御装置の管理下の設備機器であるときには、上記上位通信部を介して、該当の分散制御装置に対して、その装置に対応する設備オブジェクトの操作を要求することを特徴とする分散型ビル管理システム。
【請求項２】
請求項１において、
上記伝送変換装置は、異なるメーカーの設備制御機器が接続可能なマルチベンダ対応の通信プロトコルで、上記下位ネットワークを介した通信をすることを特徴とする分散型ビル管理システム。
【請求項３】
請求項１または請求項２において、
上記分散制御装置は、上記制御演算部のプログラムと、上記接続管理データベースのデータとを登録あるいは変更可能とする登録／変更処理部を備えることを特徴とする分散型ビル管理システム。
【請求項４】
請求項３において、
上記登録／変更処理部は、上記伝送変換装置の設備オブジェクトの登録／変更要求を受けたときには、上記オブジェクト通信サービスによって、該当する伝送変換装置に対して、上記設備オブジェクトの登録／変更要求を送信して、その内容を登録／変更させることを特徴とする分散型ビル管理システム。
【発明の詳細な説明】
【０００１】
【発明の属する技術分野】
本発明は、ビル全体を管理するセンタ装置に、ネットワークを介して複数の分散制御装置を接続し、この分散制御装置のそれぞれに接続された設備機器を管理する分散型ビル管理システムの改良に関する。
【０００２】
【従来の技術】
図９は、比較的大規模なビルに適用される従来の分散型ビル管理システムを示す図である。図において、１００はビル全体を管理するセンタ装置であり、上位ネットワークＮ１に接続され、この上位ネットワークＮ１には、複数の分散制御装置２００（＃１〜＃Ｎ）が接続されている。
【０００３】
分散制御装置２００（＃１〜＃Ｎ）は、上位ネットワークＮ１に接続された上位通信部２１０、上位通信部２１０に接続された制御演算部２２０、制御演算部２２０に接続された下位通信部２３０、及びデータベース２４０から構成されている。３００（＃１〜＃Ｎ）は、下位通信部２３０に接続された下位ネットワークを介して分散制御装置２００（＃１〜＃Ｎ）に接続された設備制御機器、４００（＃１〜＃Ｎ）は、設備制御機器３００（＃１〜＃Ｎ）に接続されたビル内の照明、電力、空調等の設備機器である。
【０００４】
このものでは、分散制御装置２００は、センタ装置１００から制御データを受信すると、その制御データの種類を判別するようになっており、制御データが集約情報であれば、制御すべき設備機器４００をデータベース２４０を参照して調べ、その設備機器４００を一定時刻にオン、オフするスケジュール制御、他の設備機器４００での状態変化の発生（後述）に連動して、その設備機器４００を連動して制御するイベント制御、その設備機器４００をグループ化しグループ単位で制御するグループ制御などをする一方、制御データが、制御演算部２２０のプログラムなどを変更する情報であれば、その情報に基づいて制御演算部２２０のプログラムなどを変更する。
【０００５】
また、分散制御装置２００は、設備機器４００の状態変化の発生、例えば、火災発生、侵入発生などを監視しており、設備機器４００の状態変化が発生すると、他の分散制御装置２００に送信すべきイベント等の発生となるかを判断し、そうであれば、他の分散制御装置２００にイベント等の情報を送信し、これを受けた他の分散制御装置２００は、先述したイベント制御をする。
【０００６】
【発明が解決しようとする課題】
このように、上記した従来の分散型ビル管理システムでは、センタ装置が分散制御装置に集約情報を与えるだけで、分散制御装置が先述したような設備機器の制御をするので、センタ装置の送信するデータ量が減少し、センタ装置の演算処理量を軽減するとともに、上位ネットワークの伝送頻度が減少するという効果がある。また、センタ装置から分散制御装置のプログラムを変更することができる効果もある。
【０００７】
しかしながら、このものでは、分散制御装置は、複数の下位ネットワークを制御することを可能としておらず、また、下位ネットワークとして、異なるメーカーの設備制御機器を接続できるマルチベンダ対応の通信プロトコル（例えばＬＯＮ）に対応していないので、通信プロトコルが互いに異なったり、互いに異なるメーカーの設備制御機器を１つの分散制御装置に接続することができず、そのため、ビルの設計者などが、用途に合わせて複数の通信プロトコル、複数のメーカーから設備制御機器を自在に選定することができなかった。
【０００８】
また、制御演算部のプログラムを作成、登録するための定型化された操作サービスを備えていないので、分散制御装置のメーカー以外の第３者（例えばビルの設計者）が、用途に合わせてそのプログラムを作成、登録することができなかった。
【０００９】
本発明は、上記事情を考慮してなされたものであり、ビルの設計者などが、用途に合わせて、複数の通信プロトコル、複数のメーカーから設備制御機器を自在に選定し、更に、システムのプログラムを作成、登録することのできる分散型ビル管理システムを提供することを目的としている。
【００１０】
【課題を解決するための手段】
上記目的を達成するために、本発明の請求項１に記載の分散型ビル管理システムでは、設備機器が接続されて各々の設備機器を制御する設備制御機器が下位ネットワークを通じて接続されており、下位ネットワークに合わせた通信プロトコルで、この下位ネットワークを介した通信をする伝送変換装置が、分散制御装置のそれぞれに伝送線を通じて接続されており、この伝送変換装置は、設備機器毎に、その設備機器の管理情報や、制御などに関する機能プログラムを有し、設備機器の制御／管理をするための設備オブジェクトと、分散制御装置からの要求に基づいて、設備オブジェクトの操作をするオブジェクト操作部とを備え、分散制御装置は、センタ装置からの指示に基づいて、制御対象となる設備機器が少なくとも規定され、伝送変換装置の設備オブジェクトの操作を要求するための設備オブジェクト操作要求データを作成する制御演算部と、この設備オブジェクト操作要求データを伝送線を通じて伝送変換装置のオブジェクト操作部に送信することによって、その伝送変換装置の設備オブジェクトの操作を要求するオブジェクト通信サービスと、設備機器が、どの分散制御装置のどの伝送変換装置の管理下に接続されているかを示すデータを格納した接続管理データベースと、上位ネットワークを介して通信をする上位通信部とを備えており、オブジェクト通信サービスは、伝送変換装置のオブジェクト操作部に設備オブジェクトの操作を要求するときには、接続管理データベースを参照し、設備オブジェクト操作要求データで規定される、制御対象となる設備機器が他の分散制御装置の管理下の設備機器であるときには、上位通信部を介して、該当の分散制御装置に対して、その装置に対応する設備オブジェクトの操作を要求することを特徴とする。
【００１１】
請求項２に記載の分散型ビル管理システムでは、伝送変換装置は、異なるメーカーの設備制御機器が接続可能なマルチベンダ対応の通信プロトコルで、下位ネットワークを介した通信をする。
【００１２】
請求項３に記載の分散型ビル管理システムでは、分散制御装置は、設備機器が、どの分散制御装置のどの伝送変換装置の管理下に接続されているかを示すデータを格納した接続管理データベースと、上位ネットワークを介して通信をする上位通信部とを備えており、オブジェクト通信サービスは、伝送変換装置のオブジェクト操作部に設備オブジェクトの操作を要求するときには、接続管理データベースを参照し、制御対象となる設備機器が他の分散制御装置の管理下の設備機器であるときには、上位通信部を介して、該当の分散制御装置に対して、その装置に対応する設備オブジェクトの操作を要求する。
【００１３】
請求項４に記載の分散型ビル管理システムでは、分散制御装置は、制御演算部のプログラムと、接続管理データベースのデータとを登録あるいは変更可能とする登録／変更処理部を備える。
【００１４】
請求項５に記載の分散型ビル管理システムでは、登録／変更処理部は、伝送変換装置の設備オブジェクトの登録／変更要求を受けたときには、オブジェクト通信サービスによって、該当する伝送変換装置に対して、設備オブジェクトの登録／変更要求を送信して、その内容を登録／変更させる。
【００１５】
【発明の実施の形態】
以下に、本発明の実施の形態について、図面とともに説明する。図１は本発明の分散型ビル管理システムの要部構成の一例を示す図である。
【００１６】
図１において、１はビル全体を管理するセンタ装置であり、上位ネットワークＮ１に接続され、この上位ネットワークＮ１には、複数の分散制御装置２（＃１〜＃Ｎ）が接続されている。
【００１７】
分散制御装置２（＃１〜＃Ｎ）は、上位ネットワークＮ１に接続された上位通信部２１、上位通信部２１に接続された制御演算部２２、制御演算部２２に接続されたオブジェクト通信サービス２３、及び接続管理データベース２４から構成され、上位通信部２１は上位ネットワークＮ１を介して通信をする機能を備え、制御演算部２２はセンタ装置１からの指示に基づいて後述する設備オブジェクト操作要求データを作成してオブジェクト通信サービス２３に送信する機能を備え、オブジェクト通信サービス２３は制御演算部２２からの設備オブジェクト操作要求データを、後述する処理を得て、伝送変換装置５（＃１，＃２）に送信する機能を備えている。また、接続管理データベース２４には、設備機器４が、どの分散制御装置（＃１〜＃Ｎ）のどの伝送変換装置（＃１，＃２）の管理下に接続されているかを示すデータを格納している。
【００１８】
分散制御装置２（＃１〜＃Ｎ）には、伝送線Ｌ２を介して伝送変換装置５（＃１，＃２）が接続されており、伝送変換装置５（＃１，＃２）は、オブジェクト通信サービス２３に接続されたオブジェクト操作部５１、オブジェクト操作部５１に接続された設備オブジェクト５２、及び伝送処理部５３から構成され、オブジェクト操作部５１は分散制御装置２（＃１〜＃Ｎ）からの設備オブジェクト操作要求データに基づいて、設備オブジェクト５２の操作をする機能を備え、設備オブジェクト５２は設備機器４毎に、管理情報や制御などに関する機能プログラムを有し、設備機器４の制御、管理をする機能を備え、伝送処理部５３は下位ネットワークＮ３に合わせた通信プロトコルで、設備制御機器３との通信をする機能を備える。なお、伝送処理部５３は、それぞれ異なるメーカーの設備制御機器３を下位ネットワークＮ３に接続可能なマルチベンダ対応の通信プロトコル（例えばＬＯＮ）によって、これらの設備制御機器３と通信するようにしてもよい。
【００１９】
このような構成の本発明において、その特徴的な動作について、図２とともに説明する。すなわち、分散制御装置２では、制御演算部２２が、センタ装置１からの指示に基づいて、設備オブジェクト操作要求データを作成して、オブジェクト通信サービス２３に送信すると、オブジェクト通信サービス２３はこれを受信し（１００）、そのデータで規定される操作対象となる設備機器４の接続されている伝送変換装置５を、接続管理データベース２４を参照して判断する（１０１）。
【００２０】
そして、判断した伝送変換装置５が、分散制御装置２自身に接続されているものであれば（１０２）、その伝送変換装置５に設備オブジェクト操作要求データを送信する（１０３）。一方、判断した伝送変換装置５が、分散制御装置２自身に接続されていないものであれば（１０２）、そのまま何もせず、制御演算部２２からの設備オブジェクト操作要求データの受信に対して待機する。なお、ステップ１０３における通信プロトコルは、下位ネットワークＮ３の通信プロトコルに依存しない、共通化かつ定型化されたものであり、伝送変換装置５が設備オブジェクト操作要求データを受信すれば、オブジェクト操作部５１は、そのデータ内容に基づき、設備オブジェクト５２を操作する。
【００２１】
図３は、設備オブジェクト操作要求データのフォーマットの一例を示す図である。設備オブジェクト操作要求データＤは、対象となる設備オブジェクトの番号を示す設備オブジェクト番号ｄ１、操作種別ｄ２、プロパティ番号／メソッド番号／イベントサービス番号ｄ３、操作パラメータｄ５のバイト数を示すパラメータサイズｄ４、設備オブジェクトに渡すパラメータを示す操作パラメータｄ５で構成されている。この設備オブジェクト操作要求データＤでは、設備オブジェクト番号ｄ１、操作種別ｄ２、プロパティ番号／メソッド番号／イベントサービス番号ｄ３、パラメータサイズｄ４までは操作する設備オブジェクトの種類によらずデータサイズが変わらない固定部を構成し、操作パラメータｄ５は操作する設備オブジェクトの種類によってデータサイズが変わる可変部を構成している。
【００２２】
操作種別ｄ２は、設備オブジェクト番号ｄ１毎に、その設備オブジェクトを操作する種別を意味し、後述するプロパティ読み出しとその設定、後述するメソッド呼び出し、後述するイベントサービス開始とその終了がある。
【００２３】
プロパティとは、設備機器４の現在状態（オン、オフなど）など、機器４で保有する各種属性であり、この値を読み出すことによって、例えば機器４の現在状態を知ることができる。また、メソッドとは、機器４に対して制御（オン、オフなど）を行う際のサービス関数であり、設備オブジェクトに対して、必要な操作パラメータｄ５とともに関数の実行を要求することによって、機器４の制御をすることができる。また、イベントサービスとは、機器４側で何らかの事象が発生したときに実行されるサービス関数であり、例えば、機器４の状態（オン、オフなど）が発生すればそれを通知するイベントサービスがあり、対象とする機器４のイベントサービスを有効とすることによって、以後、その機器４の状態が変化するたびにその情報が通知されるようになっている。
【００２４】
ここで、分散処理装置２は、図４のフローチャートに示すような動作をしてもよい。すなわち、制御演算部２２が、センタ装置１からの指示に基づいて、設備オブジェクト操作要求データを作成して、オブジェクト通信サービス２３に送信すると、オブジェクト通信サービス２３は、先述のステップ１００〜１０３の動作をし、ステップ１０２で判断した伝送変換装置５が、分散制御装置２自身に接続されていないものであれば、その伝送変換装置５が他の分散制御装置２に接続されているかを判断し（２００）、接続されていれば、上位通信部２１に対して、その分散制御装置２への設備オブジェクト操作要求データの送信を依頼し（２０１）、これを受けた上位通信部２１は、上位ネットワークＮ１を介して、その分散制御装置２に対して、設備オブジェクト操作要求データを送信する。
【００２５】
図５は、本発明の分散型ビル管理システムの要部構成の他例を示す図である。このものは、分散制御装置２に、登録／変更処理部２５を更に備えたことを特徴としており、制御演算部２２のプログラムと、接続管理データベース２４のデータとを登録あるいは変更可能としている。これについて、図６のフローチャートとともに説明する。
【００２６】
すなわち、分散制御装置２では、上位通信部２１が、センタ装置１から所定の登録／変更要求データを受信すると、このデータを登録／変更処理部２５に引き渡すので、登録／変更処理部２５はこれを受信して（３００）、そのデータで規定される要求が、制御演算部２２のプログラムの登録／変更要求であるかを判断し（３０１）、登録要求であれば（３０２）、制御演算部２２のプログラム登録処理をする（３０３）。一方、ステップ３０２において、登録要求でなければ、制御演算部２２のプログラムの変更要求であるかを判断し（３０４）、そうであれば、制御演算部２２のプログラム変更処理をする（３０５）。
【００２７】
また、ステップ３０１において、受信データで規定される要求が、制御演算部２２のプログラムの登録／変更要求でなければ、接続管理データベース２４の登録／変更要求であるかを判断し（３０６）、登録要求であれば（３０７）、接続管理データベース２４のデータ登録処理をする（３０８）。一方、ステップ３０６において、登録要求でなければ、接続管理データベース２４の変更要求であるかを判断し（３０９）、そうであれば、接続管理データベース２４のデータ変更処理をする（３１０）。
【００２８】
ここで、分散制御装置２は、図７のフローチャートに示すような動作をしてもよい。ここでは、登録／変更処理部２５は、上位通信部２１から所定の登録／変更要求データを受信したときには、先述のステップ３００〜３１０の動作以外に、ステップ４００，４０１の動作を更にするようにしており、ステップ４００では、受信データで規定される要求が、分散制御装置２に接続される伝送変換装置５の設備オブジェクト５２の内容の登録／変更要求であるかを判断し、ステップ４０１では、ステップ４００において登録／変更要求と判断したのを受けて、オブジェクト通信サービス２３に、図８に示す設備オブジェクト登録／変更要求データＤ’を送信する。そして、オブジェクト通信サービス２３は、このデータＤ’を伝送変換装置５に送信するので、これを受けた伝送変換装置５は、データＤ’に基づいて、その設備オブジェクト５２の内容を登録あるいは変更する。なお、設備オブジェクト登録／変更要求データＤ’は、図８に示すように、操作種別ｄ２で、設備オブジェクト５２の登録、変更、削除の各々を更に定義するとともに、操作パラメータｄ５で、これらの操作種別に応じたパラメータを更に定義している点が、先述の設備オブジェクト操作要求データＤと異なっている。
【００２９】
【発明の効果】
以上の説明からも理解できるように、本発明の請求項１に記載の分散型ビル管理システムでは、伝送変換装置は、設備制御機器を接続する下位ネットワークに合わせた通信プロトコルで、下位ネットワークを介した通信をするので、ビルの設計者などが、用途に合わせて、複数の通信プロトコルから設備制御機器を自在に選定することができる。
【００３０】
また、分散制御装置では、定型化された手順で、オブジェクト通信サービスに要求することによって、設備機器の管理／制御を行うので、設備機器を管理／制御するための方法や、その通信プロトコルを学習する必要がなく、オブジェクト通信サービスへの要求手順のみ学習すればよいため、ビルの設計者などが、用途に合わせて、システムのプログラムの作成／登録をすることができる。
【００３１】
更に、分散制御装置では、オブジェクト通信サービスは、制御対象となる設備機器が他の分散制御装置の管理下の設備機器であるときには、上位通信部を介して、該当の分散制御装置に対して、その装置に対応する設備オブジェクトの操作を要求するので、上位ネットワークに接続された、異なる分散制御装置に接続される設備機器の管理／制御を容易にすることができる。
請求項２に記載の分散型ビル管理システムでは、伝送変換装置は、異なるメーカーの設備制御機器が接続可能なマルチベンダ対応の通信プロトコルで、下位ネットワークを介した通信をするので、ビルの設計者などが、用途に合わせて、複数のメーカーから設備制御機器を自在に選定することができる。
【００３３】
請求項３に記載の分散型ビル管理システムでは、分散制御装置は、制御演算部のプログラムと、接続管理データベースのデータとを登録あるいは変更可能とする登録／変更処理部を備えるので、上位通信部と組み合わせれば、上位ネットワーク上のセンタ装置から、制御演算部のプログラムと、接続管理データベースのデータとを登録あるいは変更させることができる。
【００３４】
請求項４に記載の分散型ビル管理システムでは、登録／変更処理部は、伝送変換装置の設備オブジェクトの登録／変更要求を受けたときには、オブジェクト通信サービスによって、該当する伝送変換装置に対して、設備オブジェクトの登録／変更要求を送信して、その内容を登録／変更させるので、上位通信部と組み合わせれば、上位ネットワーク上のセンタ装置から、伝送変換装置の設備オブジェクトの内容を登録あるいは変更させることができる。
【図面の簡単な説明】
【図１】本発明の分散型ビル管理システムの要部構成の一例を示す図である。
【図２】オブジェクト通信サービスの動作の一例について説明するためのフローチャートである。
【図３】設備オブジェクト操作要求データのフォーマットの一例を示す図である。
【図４】オブジェクト通信サービスの動作の他例について説明するためのフローチャートである。
【図５】本発明システムの要部構成の他例を示す図である。
【図６】登録／変更処理部の動作の一例について説明するためのフローチャートである。
【図７】登録／変更処理部の動作の他例について説明するためのフローチャートである。
【図８】設備オブジェクト登録／変更要求データのフォーマットの一例を示す図である。
【図９】従来の分散型ビル管理システムの構成を示す図である。
【符号の説明】
１・・・センタ装置
２・・・分散制御装置
３・・・設備制御機器
４・・・設備機器
５・・・伝送変換装置
２１・・・上位通信部
２２・・・制御演算部
２３・・・オブジェクト通信サービス
２４・・・接続管理データベース
２５・・・登録／変更処理部
５１・・・オブジェクト操作部
５２・・・設備オブジェクト
Ｎ１・・・上位ネットワーク
Ｎ３・・・下位ネットワーク
【図１】
0003855618.tif 000002
【図２】
0003855618.tif 000003
【図３】
0003855618.tif 000004
【図４】
0003855618.tif 000005
【図５】
0003855618.tif 000006
【図６】
0003855618.tif 000007
【図７】
0003855618.tif 000008
【図８】
0003855618.tif 000009
【図９】
0003855618.tif 000010